(57)【特許請求の範囲】
【請求項１】
入力されたスぺクトラム受信信号から分配される一方の信号と同じ帯域幅の周波数で掃引された掃引信号を出力する掃引ローカル信号発生手段と、
前記スぺクトラム受信信号から分配される一方の信号と前記掃引信号とを混合するミキサ回路と、
前記ミキサ回路の出力信号のうち、混信波成分のみを選択的に通過させる狭帯域バンドパスフィルタと、
前記狭帯域バンドパスフィルタを通過した混信波成分のレベル及び周波数を検知する検知手段と、
前記検知手段からの信号を受けて、分配される他方の受信信号に含まれる混信波成分のレベルを下方調整するレベル調整手段とを備え、
前記掃引ローカル信号発生手段は、前記検知手段の出力による掃引用コントロール信号によって制御されてなることを特徴とするスぺクトラム拡散受信機。
【発明の詳細な説明】
【０００１】
【発明の属する技術分野】
この発明は、受信帯域内における妨害電波を検知除去できるようにしたスぺクトラム拡散受信機の改良技術に関するものである。
【０００２】
【従来の技術】
スぺクトラム拡散通信方式の受信機には、一般に希望波以外の混信波に対する混信排除のための排除機能を備えている。この排除機能は、希望波と混信波とが受信された場合、基準信号との相関により希望波を拡散前の帯域幅に戻し、混信波を入力帯域以上に拡散させ、希望波のみを強調することによって、その他の混信波による影響を抑圧するとともに、バンドパスフィルタを通じて混信波を分離するものである。
【０００３】
しかしながら、混信波のレベルが受信機の処理利得を越えるような場合には、正常な受信能力を維持することはできない。
そこで、例えば特開平４−９１５２８号公報には、スぺクトラム拡散受信信号を中心周波数の異なる少なくとも３つの帯域チャンネルに分離するチャンネル分離手段と、各チャンネルの信号成分の大きさを比較する比較手段と、各チャンネルにそれぞれ設けられた出力レベル調整手段と、上記比較手段の比較結果に応じて上記各調整手段を制御し、出力レベルの大きいチャンネル出力を減衰せしめる制御手段と、上記制御手段を介した各チャンネル出力を合成する合成手段、を備えたスぺクトラム拡散受信機が開示されている。
【０００４】
この受信機においては、隣接するフィルタ出力の比較により妨害となる混信波を感知し、感知したフィルタの出力を減衰制御手段により適当なレベルまで減衰させた後、各フィルタ出力を合成するもので、チャンネル分離手段、すなわちフィルタ数に応じて混信波の除去能力が高くなる。
しかしながら、このような構成の受信機には、以下に説明する技術的な課題が存在していた。
【０００５】
【発明が解決しようとする課題】
すなわち、上述した公報に開示されている構成の受信機にあっては、帯域内信号を減衰させず、かつ、帯域を細分化して混信波を検知しようとすると、フィルタの数が多くなり過ぎ、受信機の小型化や、回路の簡素化を考慮すると大きな負担となり、小型で安価な構成とすることはできない。
【０００６】
この発明は、以上の問題を解決するために案出されたものであって、その目的とするところは、混信波のレベル及び周波数を検出し、受信された帯域内におけるその検知周波数のレベルを下方調整することで、受信機の小型化、回路の簡素化を図ったスぺクトラム拡散受信装置を提供することにある。
【０００７】
【課題を解決するための手段】
前記目的を達成するために、この発明は、入力されたスぺクトラム受信信号から分配される一方の信号と同じ帯域幅の周波数で掃引された掃引信号を出力する掃引ローカル信号発生手段と、前記スぺクトラム受信信号から分配される一方の信号と前記掃引信号とを混合するミキサ回路と、前記ミキサ回路の出力信号のうち、混信波成分のみを選択的に通過させる狭帯域バンドパスフィルタと、前記狭帯域バンドパスフィルタを通過した混信波成分のレベル及び周波数を検知する検知手段と、前記検知手段からの信号を受けて、分配される他方の受信信号に含まれる混信波成分のレベルを下方調整するレベル調整手段とを備え、前記掃引ローカル信号発生手段は、前記検知手段の出力による掃引用コントロール信号によって制御されることにより、混信波を除去できるようにした。
【０００８】
【発明の実施の形態】
以下、この発明の好適な実施の形態について添付図面を参照しながら詳細に説明する。図１は、この発明に係るスぺクトラム拡散受信機の要部を示すものである。
同図において、１は、ミキサ回路、２は、バンドパスフィルタ（ＢＰＦ）、３は、ＩＦ増幅器である。情報信号であるスぺクトラム拡散信号は、従来と同様に、ミキサ回路１に入力されることにより、ＰＬＬ回路４を通じてミキサ回路１に入力された固定ローカル信号（基準信号）と相関がとられ、その帯域幅を減少した状態でバンドパスフィルタ２を通過した後に、ＩＦ増幅器３により増幅され、出力信号として取り出される。
【０００９】
これに加え、この発明では、バンドパスフィルタ２を通過した信号は、ＩＦ増幅器３に直接入力される信号とともに、混信波検出及び除去用の回路部に入力される信号とに２系統に分配され、この除去用回路部からの制御入力をＩＦ増幅器３の手前で前記信号に重畳させることで、混信波を除去するものである。
この除去用回路部は、分配された一方の信号が入力される第二のミキサ回路５と、この第二のミキサ回路５の出力側に接続された狭帯域バンドパスフィルタ６と、バンドパスフィルタ６の出力側に接続された検波／積分回路７と、検波／積分回路７の出力信号を受けるレベル検知コントローラ８と、このレベル検知コントローラ８によって制御される掃引ローカル信号発生部９およびレベル調整回路１０とを備えている。
【００１０】
掃引ローカル信号発生部９は、ＰＬＬ回路４と共用の基準発振器１１からの発振信号によって作動されるものであって、レベル検知コントローラ８からの掃引用コントロール信号によって制御され、第二のミキサ回路５に加えられるローカル信号の周波数を掃引する。
図２は、図１の各部における処理波形が示されている。同図▲１▼に示した信号波形は、ミキサ回路１から送出される出力信号ａであり、この出力信号ａに対して、掃引ローカル信号発生部９からは、▲２▼に示すような、出力信号ａと同じ帯域幅の掃引信号ｂが出力され、これらの信号ａ，ｂが第二ミキサ回路５で混合される。
【００１１】
その結果、第二のミキサ回路５からは、第２図▲３▼に示すように、出力信号ａを掃引信号ｂで細分割した信号ｃが出力される。
ここで、出力信号ａに対して妨害波成分である狭帯域の混信波ｄが混在している場合は（実際には、▲１▼においては、情報信号に対する混信波の差の成分が検出される）、狭帯域バンドパスフィルタ６を通過する成分は、▲４▼に示すように、過大成分である混信波成分ｄのみとなり、この混信波成分ｄの周波数成分およびその大きさが検波／積分回路７で検出される。
【００１２】
レベル検知コントローラ８は、検波／積分回路７からの出力信号を受けて、混信波成分ｄの周波数および大きさに対応した信号をレベル調整回路１０に送出する。レベル調整回路１０は、この信号を受けて出力信号ａにこれに対応した信号を送出する。この結果、ＩＦ増幅器３からは、図２▲５▼に示すように、情報信号ｅのみが出力されることになる。
【００１３】
図３は、レベル調整回路１０の詳細を示している。同図に示すレベル調整回路１０は、コイルＬ１と、このコイル１に直列接続された可変容量ダイオード（バリキャップ）Ｄとにより構成される共振回路と、これにコンデンサＣを介して接続された可変減衰器Ｒと、可変容量ダイオードＤと可変減衰器Ｒとの接続ノードに接続されたＬ２およびコンデンサＣとを備えている。
【００１４】
このレベル調整回路１０では、コイルＬ１の一端側に、バンドパスフィルタ２およびＩＦ増幅器３との接続端子が設けられている。また、Ｌ２を介して、レベル検知コントローラ８から可変容量ダイオードＤに制御電圧を印加することで、混信波成分ｄの共振周波数を変化させ、可変減衰器Ｒ側に減衰レベル制御電圧を印加することで、その減衰量の調整がなされることになる。
【００１５】
なお、以上の実施例では、レベル調整回路１０の出力側をバンドパスフィルタ２とＩＦ増幅器３の間に接続したが、図１に点線で示すように、ミキサ回路１の直前に接続することも可能である。
【００１６】
【発明の効果】
以上実施例によって詳細に説明したように、この発明によるスぺクトラム拡散受信機にあっては、従来に比べて多数のフィルタを使用することなく受信帯域内の混信波を詳細に感知し、これを除去することができるため、回路の簡素化と、機器の小型化を図ることができ、しかも安価に提供できる利点がある。
【図面の簡単な説明】
【図１】この発明に係るスぺクトラム拡散受信機の要部を示すブロック図である。
【図２】図１の各部における処理波形を示す模式的説明図である。
【図３】レベル調整回路の具体的な回路図である。
【符号の説明】
５  第二のミキサ回路
６  狭帯域バンドパスフィルタ
８  レベル検知コントローラ
９  掃引ローカル信号発生部
１０  レベル調整回路
【図１】
0003618438.tif 000002
【図２】
0003618438.tif 000003
【図３】
0003618438.tif 000004